(57)【要約】  【課題】電気泳動装置などの表示装置においては、画面の書き換えに時間が掛かるものがあるため、参照者から見て裏側を書き換えることで、書き換え途中の画面が参照者から見えることを防ぐ。  【解決手段】両面に２つの表示部と、参照者１側に向いている側の面を認識する認識手段と、表示部への表示内容を更新させる際に、２つの表示部のうちの参照者１側に向いていない側の表示部の表示内容を更新させる表示制御手段とを備えた表示装置２である。【選択図】図１
2005338390.tif 000002
【特許請求の範囲】
【請求項１】
両面に２つの表示部と、
参照者側に向いている側の面を認識する認識手段と、
前記表示部への表示内容を更新させる際に、前記２つの表示部のうちの参照者側に向いていない側の表示部の表示内容を更新させる表示制御手段と、を備えた表示装置。
【請求項２】
前記認識手段は、少なくとも１つずつ両面に配置されるアンテナを有し、参照者が上半身に付けた送信装置から送信される電磁波の、前記それぞれのアンテナが受信した受信強度を比較して、受信強度の弱いアンテナが配置されている側の面を参照者側に向いていない側の面と認識する、請求項１に記載の表示装置。
【請求項３】
前記送信装置は、固有のＩＤデータを送信し、
さらに、前記アンテナが受信した電磁波からＩＤデータを検出するＩＤ検出手段を備え、
前記表示制御手段は、前記ＩＤ検出手段で検出されたＩＤデータが所定の値であった場合にのみ、前記表示部の表示内容を更新させる、請求項２に記載の表示装置。
【請求項４】
参照者が身に付けることができ、固有の第１のＩＤデータを無線伝送方式により送信する送信装置と、
固有の第２のＩＤデータを無線伝送方式により送信し、また、表示データを必要に応じて選択して無線伝送方式により送信するサーバー装置と、
前記第１のＩＤデータ、前記第２のＩＤデータおよび前記表示データを受信し、前記第１のＩＤデータおよび前記第２のＩＤデータが所定の値である場合にのみ、表示データを表示する表示装置と、を備えた表示システム。
【請求項５】
前記表示装置は、
両面に、それぞれ独立した少なくとも２つの表示部と、
前記送信装置から送信される電磁波を受信する、それぞれ独立した少なくとも２つのアンテナと、
前記それぞれのアンテナが受信した電磁波の受信強度を比較して、前記受信強度の弱いアンテナが配置されている側の面を参照者側に向いていない側の面と認識する認識手段と、
前記表示部への表示内容を更新させる際に、前記２つの表示部のうちの参照者側に向いていない側の表示部の表示内容を更新させる表示制御手段とを有する、請求項４に記載の表示システム。
【請求項６】
両面のうち、参照者側に向いている側の面を認識するステップと、
前記両面のそれぞれに配置されている２つの表示部のうちの、前記参照者側に向いていない面に配置されている表示部の表示内容を更新させるステップとを備えた表示装置の表示方法。
【請求項７】
電気泳動方式を用いた表示部を有する、請求項１乃至３のいずれかに記載の表示装置を備えた電子ブック。
【請求項８】
請求項１乃至３のいずれかに記載の、表示装置の前記表示制御手段としてコンピュータを機能させるためのプログラム。
【請求項９】
請求項８に記載のプログラムを担持した記録媒体であって、コンピュータで利用可能な記録媒体。
【発明の詳細な説明】
【技術分野】
【０００１】
本発明は、表示装置、表示システム、表示装置の表示方法および電子ブックに関するものである。例えば、電子ペーパー、電子ブック、携帯情報端末等の表示装置に関するものである。
【背景技術】
【０００２】
従来、電子ペーパー、電子ブック、携帯情報端末等の表示装置においては、電気泳動方式、電解析出方式などの、電源を切った後でも表示状態が保持される仕組みの表示素子を用いた表示装置がある。
【０００３】
電気泳動方式の表示装置としては、例えば、分散媒中に電気泳動粒子を分散させた分散系をマイクロカプセルに封入し、このマイクロカプセルを電極板間に配装した構成の表示装置がある（例えば、特許文献１参照）。
【０００４】
図７は、従来の、マイクロカプセルを電極板間に配装した構成の表示装置の概念的な要部構成断面図を示している。
【０００５】
一組のガラス板等からなる透明部材７１の対向面に各々形成された透明電極７２の間に、多数のマイクロカプセル７３が配装されている。各々のマイクロカプセル７３には、電気泳動粒子７４を分散媒中に分散させた分散系７５が封入されている。そして、マイクロカプセル７３相互の間隙、およびマイクロカプセル７３と透明電極７２との間隙には、屈折率および体積抵抗率が実質上マイクロカプセル７３に等しい物質７７が、注入孔７６を介して満たされている。なお、７８は端部封止材を示している。
【０００６】
このように構成された表示装置では、マイクロカプセル７３内の分散媒中の電気泳動粒子７４は、対向する２枚の透明電極７２間の極性に応じて移動する。２つの透明電極７２間の極性を、電気泳動粒子７４が一方の透明電極７２側に吸着または離反させるように制御することで、所望の文字、記号あるいは図形等を表示させることができる。
【特許文献１】特開昭６４−８６１１６号公報
【発明の開示】
【発明が解決しようとする課題】
【０００７】
しかしながら、電源を切った後でも表示状態が保持される仕組みの表示素子を有する従来の表示装置においては、応答速度が遅いために書き換えに時間が掛かるという課題があった。したがって、使用者は、表示内容が書き換えられる際には、新たな表示内容を見る前に、書き換え処理が終わるまで待たなければならなかった。
【０００８】
本発明は、上記従来の課題を解決するもので、表示更新時に使用者を待たせることのない表示装置、表示システム、表示装置の表示方法および電子ブックを提供することを目的とする。
【課題を解決するための手段】
【０００９】
上述した課題を解決するために、第１の本発明は、
両面に２つの表示部と、
参照者側に向いている側の面を認識する認識手段と、
前記表示部への表示内容を更新させる際に、前記２つの表示部のうちの参照者側に向いていない側の表示部の表示内容を更新させる表示制御手段と、を備えた表示装置である。
【００１０】
第２の本発明は、
前記認識手段は、少なくとも１つずつ両面に配置されるアンテナを有し、参照者が上半身に付けた送信装置から送信される電磁波の、前記それぞれのアンテナが受信した受信強度を比較して、受信強度の弱いアンテナが配置されている側の面を参照者側に向いていない側の面と認識する、第１の本発明の表示装置である。
【００１１】
第３の本発明は、
前記送信装置は、固有のＩＤデータを送信し、
さらに、前記アンテナが受信した電磁波からＩＤデータを検出するＩＤ検出手段を備え、
前記表示制御手段は、前記ＩＤ検出手段で検出されたＩＤデータが所定の値であった場合にのみ、前記表示部の表示内容を更新させる、第２の本発明の表示装置である。
【００１２】
第４の本発明は、
参照者が身に付けることができ、固有の第１のＩＤデータを無線伝送方式により送信する送信装置と、
固有の第２のＩＤデータを無線伝送方式により送信し、また、表示データを必要に応じて選択して無線伝送方式により送信するサーバー装置と、
前記第１のＩＤデータ、前記第２のＩＤデータおよび前記表示データを受信し、前記第１のＩＤデータおよび前記第２のＩＤデータが所定の値である場合にのみ、表示データを表示する表示装置と、を備えた表示システムである。
【００１３】
第５の本発明は、
前記表示装置は、
両面に、それぞれ独立した少なくとも２つの表示部と、
前記送信装置から送信される電磁波を受信する、それぞれ独立した少なくとも２つのアンテナと、
前記それぞれのアンテナが受信した電磁波の受信強度を比較して、前記受信強度の弱いアンテナが配置されている側の面を参照者側に向いていない側の面と認識する認識手段と、
前記表示部への表示内容を更新させる際に、前記２つの表示部のうちの参照者側に向いていない側の表示部の表示内容を更新させる表示制御手段とを有する、第４の本発明の表示システムである。
【００１４】
第６の本発明は、
両面のうち、参照者側に向いている側の面を認識するステップと、
前記両面のそれぞれに配置されている２つの表示部のうちの、前記参照者側に向いていない面に配置されている表示部の表示内容を更新させるステップとを備えた表示装置の表示方法である。
【００１５】
第７の本発明は、
電気泳動方式を用いた表示部を有する、第１乃至第３のいずれかの本発明の表示装置を備えた電子ブックである。
【００１６】
第８の本発明は、
第１乃至第３のいずれかの本発明の表示装置の前記表示制御手段としてコンピュータを機能させるためのプログラムである。
【００１７】
第９の本発明は、
第８の本発明のプログラムを担持した記録媒体であって、コンピュータで利用可能な記録媒体である。
【発明の効果】
【００１８】
本発明により、表示更新時に使用者を待たせることのない表示装置、表示システム、表示装置の表示方法および電子ブックを提供することができる。
【発明を実施するための最良の形態】
【００１９】
以下、本発明の表示装置について、図面を参照しながら説明する。
【００２０】
（実施の形態１）
図１に、本発明の実施の形態１における表示システムの使用形態を示す。
【００２１】
参照者１は、送信装置１０をポケットに入れる、ペンダントとするなどの方法で上半身に装着しており、手に持った表示装置２に表示される内容を参照する。そして、送信装置１０は、固有の第１のＩＤデータを外部に無線通信により送信する。
【００２２】
一方、サーバー装置３は、固有の第２のＩＤデータを外部に無線通信により送信する。また、サーバー装置３は、画像情報、文字情報等の表示データを内部に保存しており、必要に応じて表示データを選択して、無線伝送方式により送信する。
【００２３】
図２は、表示装置２の外観を示す概略図である。
【００２４】
図２に示されている側の面には、第１のアンテナ４ａ、第１の表示制御手段５ａ、第１の表示手段６ａ、制御手段７が備えられている。そして、図２には示されていない表示装置２の反対側の面には、第１のアンテナ４ａ、第１の表示制御手段５ａ、第１の表示手段６ａと同様に、第２のアンテナ４ｂ、第２の表示制御手段５ｂ、第２の表示手段６ｂが備えられている。なお、第１の表示手段６ａおよび第２の表示手段６ｂが、本発明の２つの表示部の一例である。
【００２５】
次に、図１および図２を用いて、本実施の形態１の表示システムの動作について説明する。
【００２６】
表示装置２は、送信装置１０から送信されてくる第１のＩＤデータと、サーバー装置３から送信されてくる第２のＩＤデータ及び表示データを受信する。その際に、制御手段７は、送信装置１０から送信されてくる第１のＩＤデータの、第１のアンテナ４ａ及び第２のアンテナ４ｂで受信した電波の強度を比較する。
【００２７】
図１において、第１のアンテナ４ａの取り付けられている側の面が送信装置１０側、すなわち参照者１の側に向いているとすると、第１のアンテナ４ａで受信した電波の強度が、第２のアンテナ４ｂで受信した電波の強度よりも強くなる。制御手段７は、これらの２つの電波の強度を比較、検出し、その結果としてサーバー装置３から受信した表示データで、第２の表示制御手段５ｂを介して、第２の表示手段６ｂの表示内容を書き換える。
【００２８】
送信装置１０の側、すなわち参照者１の側には第１の表示手段６ａが向いているため、参照者１が第１の表示手段６ａに表示されている情報を見ている間に、参照者１にとっては裏面である第２の表示手段６ｂの表示内容が書き換えられる。従って、参照者１に書き換え途中の画面を見せたままで書き換えの完了を待たせることなく、参照者１は、快適に表示装置２に表示される情報を参照することが可能となる。
【００２９】
また、制御手段７は、第２の表示手段６ｂの表示内容を書き換える前に、受信した第１のＩＤデータ及び第２のＩＤデータを参照し、これら２つのＩＤデータが所定の値でない場合には、第２の表示手段６ｂの書き換え動作を行わない。従って、所定の第１のＩＤデータを送信する送信装置１０を身に付けた人だけが、所定の第２のＩＤデータを送信するサーバー装置３から送信されてくる情報を参照することが可能となり、情報のセキュリティを確保することが出来る。
【００３０】
なお、例えばこのような制御手段７として、第１のＩＤデータと第２のＩＤデータとを比較し、同じ値であれば第２の表示手段６ｂの書き換え動作を行うような制御手段７を用いることが可能である。また、別の方法として、第１のＩＤデータ基準値、及び第２のＩＤデータ基準値を記憶させた不揮発性メモリを内蔵し、第１のＩＤデータと第１のＩＤデータ基準値、第２のＩＤデータと第２のＩＤデータ基準値をそれぞれ比較して共に一致したときに第２の表示手段６ｂの書き換え動作を行うような制御手段７を用いることが可能である。
【００３１】
以下、本実施の形態１の表示システムの、さらに詳細な動作について説明する。
【００３２】
図３に、送信装置１０のブロック図を示す。
【００３３】
送信装置１０は、送信アンテナ１１、送信手段１２、ＩＤ生成手段１３を備えている。
【００３４】
ＩＤ生成手段１３は、送信装置１０の個体にそれぞれ固有の第１のＩＤデータを生成し、送信手段１２に出力する。そして、送信手段１２は、送信アンテナ１１を介して第１のＩＤデータを無線送信する。
【００３５】
図４に、サーバー装置３のブロック図を示す。
【００３６】
サーバー装置３は、送受信アンテナ３０、通信手段３１、送信側制御手段３２、記憶メディア３３を備えている。
【００３７】
記憶メディア３３は、表示装置２で参照可能な表示データを多数記憶しており、送信側制御手段３２の制御により、必要な表示データが選択され、通信手段３１に出力される。送信側制御手段３２は、通信手段３１及び送受信アンテナ３０を介して表示装置２と交信する。その後、送信側制御手段３２は、表示装置２との交信内容に応じて必要な表示データを選択し、記憶メディア３３に記憶されている表示データを、通信手段３１及び送受信アンテナ３０を介して表示装置２に転送させる。
【００３８】
図５に、表示装置２のブロック図を示す。
【００３９】
図２の概略図に示したものと共通の要素については、図２と同一番号を付与している。表示装置２は、送受信アンテナ２０を備えている。そして、制御手段７は、通信手段２１、受信側制御手段２２、電波強度比較手段２３を有している。例えば、通信手段２１、受信側制御手段２２、電波強度比較手段２３は、電子回路によって構成され、これらを内蔵したＬＳＩとして制御手段７を実現しても良い。
【００４０】
送信装置１０から送信されてきた第１のＩＤデータは、第１のアンテナ４ａ及び第２のアンテナ４ｂを介して電波強度比較手段２３により受信され、受信側制御手段２２に出力される。その際に、電波強度比較手段２３は、第１のアンテナ４ａの受信電波強度と、第２のアンテナ４ｂの受信電波強度とを比較し、比較結果を受信側制御手段２２に出力する。なお、電波強度比較手段２３、第１のアンテナ４ａ、第２のアンテナ４ｂの組み合わせが、本発明の認識手段の一例である。
【００４１】
一方、受信側制御手段２２は、通信手段２１及び送受信アンテナ２０を介して、サーバー装置３と交信し、第２のＩＤデータを受信する。それとともに、受信側制御手段２２は、サーバー装置３から表示装置２に転送する表示データの選択情報を、通信手段２１及び送受信アンテナ２０を介して、サーバー装置３の送信側制御手段３２に伝える。
【００４２】
そして、受信側制御手段２２は、送信装置１０から受信した第１のＩＤデータと、サーバー装置３から受信した第２のＩＤデータとを参照し、これらがそれぞれの所定の値であった場合のみ、サーバー装置３から表示データを取得して表示させるようにする。なお、受信側制御手段２２が、本発明のＩＤ検出手段の一例である。
【００４３】
参照者１が、受信側制御手段２２に、参照したい表示データの選択情報を入力する方法としては多くの方法が考えられる。例えば、画像表示手段の撓みを検出し、その撓みに応じて画像データをページ戻しまたはページ送りして表示する方法などが提案されている。ここでは、表示データの選択方法は本願発明の本質ではないので、これ以上は説明しない。
【００４４】
次に、受信側制御手段２２は、電波強度比較手段２３から入力された比較結果に基づき、受信電波強度の弱い方のアンテナと同じ面に配置された表示手段の表示内容が、サーバー装置３から受信した表示データで更新されて表示されるように制御する。なお、受信側制御手段２２が、本発明の表示制御手段の一例である。
【００４５】
サーバー装置３から、送受信アンテナ２０を介して、通信手段２１が受信した表示データは、第１の表示制御手段５ａ及び第２の表示制御手段５ｂに出力される。ここで、先に図１及び図２を用いて説明したのと同様に、第１のアンテナ４ａの取り付けられている側の面が送信装置１０側に向いていた場合には、送信装置１０から送信されてくる電波については、第１のアンテナ４ａで受信した電波の強度が、第２のアンテナ４ｂで受信した電波の強度よりも強くなる。
【００４６】
電波強度比較手段２３は、これらの２つの電波の強度を比較、検出し、その結果を受信側制御手段２２に出力する。そして、この場合、受信側制御手段２２は、受信電波強度の弱い第２のアンテナ４ｂと同じ面に配置されている第２の表示制御手段５ｂを制御して、通信手段２１から入力された表示データを、第２の表示手段６ｂに表示させる。
【００４７】
その後、参照者１が表示装置２をひっくり返して、第２の表示手段６ｂを参照すると、今度は、第２のアンテナ４ｂが送信装置１０の方に向く。従って、電波強度比較手段２３の比較結果が反転する。受信側制御手段２２は、この比較結果の反転を受けて、サーバー装置３と交信し、次に表示するべき表示データを第１の表示手段６ａに表示させる。
【００４８】
この際、画像データが表示手段に一度に表示できる単位を１ページデータとして、サーバー装置３には複数ページデータが並んだ構成が保存されており、電波強度比較手段２３の比較結果が反転するごとに、頭から順に次のページデータが表示されるようにすると、参照者１が表示装置２の表側であるページを参照している間に、裏側が次のページに書き換えられている、という動作になる。
【００４９】
なお、ページの表示順、さらには表示データをページ単位で扱うかどうか、ということは本発明の本質ではない。参照者１が表示装置２をひっくり返すごとに数ページ先、もしくは数ページ後ろのデータが表示されるようにすることも可能であるし、表示データの一部だけを更新することも可能である。
【００５０】
図６は、表裏両面から参照可能な表示装置２の一例の断面を示す概念図である。
【００５１】
この表示装置２は、第１の表示手段６ａ、第２の表示手段６ｂ、表示装置２全体の基板８を備えており、図６はその断面図を示している。また、第１の表示手段６ａおよび第２の表示手段６ｂは、それぞれ、背面板４０、背面電極４１、透明電極４５、透明基板４６、マイクロカプセル４７を備えており、マイクロカプセル４７には、黒色帯電粒子４２、オイル４３、白色帯電粒子４４が封入されている。
【００５２】
第１の表示手段６ａは、オイル４３に黒色帯電粒子４２と白色帯電粒子４４を分散させたものを、マイクロカプセル４７内に封入し、該マイクロカプセル４７を、背面電極４１が配線された背面板４０と、透明電極４５が配線された透明基板４６との間に２次元配列状に敷き詰めたものである。背面電極４１及び透明電極４５はマトリクス状に配線され、第１の表示制御手段５ａからマトリクスの所望の交点に対して所望の電界を印加することが可能である。
【００５３】
いま、黒色帯電粒子４２が正に帯電し、白色帯電粒子４４が負に帯電しているとする。このとき、第１の表示手段６ａにおいて、特定の部分に透明電極４５が正、背面電極４１が負になるように電界が印加されると、その間に位置するマイクロカプセル４７中で、白色帯電粒子４４は透明電極４５側、黒色帯電粒子４２は背面電極４１側に、それぞれ泳動するため、この部分は透明基板４６側からは白く見える。別の部分に、逆に透明電極４５が負、背面電極４１が正になるように電界が印加されると、この部分は透明基板４６側からは黒く見えるようになる。このようにして、透明電極４５と背面電極４１間の電界を制御することにより、透明基板４６側に画像を表示させることが可能になる。
【００５４】
第２の表示手段６ｂは、表示装置２全体の基板８を中心として、第１の表示手段６ａを裏返しにした構成となっており、第１の表示手段６ａと同様に、第２の表示制御手段５ｂから電界を印加することにより、透明基板４６側に画像を表示させることが可能である。
【００５５】
これらの表示状態は、印加されていた電界が消滅しても保持されるが、白色帯電粒子４４及び黒色帯電粒子４２が泳動するのに一定の時間が必要なため、表示画像の書き換えには時間が掛かる。
【００５６】
なお、本実施の形態１においては、表示装置２がひっくり返されたことを認識して、参照者１から遠い方になった裏側の面の表示手段の表示内容を書き換えることとしたが、表示装置２がひっくり返された状態がある程度持続した後に裏側になった面の表示手段の表示内容の書き換え処理を行なわせるようにしてもよい。例えば、ひっくり返された状態が所定時間、例えば５秒間持続された後に、裏側になった面の表示手段の表示内容を書き換えるようにする。
【００５７】
このようにすることで、例えば、参照者１が表示装置２をひっくり返した後に、すぐに再度ひっくり返して元の表示内容を確認しようとした場合でも、書き換えられる前の元の表示内容を確認することができる。また、参照者１の表示装置２を持つ角度が一時的に変化して、一時的に表示装置２がひっくり返されたと判断された場合でも、参照者１が参照している側の面を誤って書き替えてしまうことを防止することができる。
【００５８】
以上、本実施の形態１においては、表裏両面に表示可能な表示装置２において、参照者１が参照している面とは反対側の面の情報を書き換えることで、参照者１に書き換え途中の画面を見せたままで書き換えの完了を待たせることなく、快適に情報を参照することが可能な表示装置２を提供することが出来る。さらに、参照者１が上半身に付けている送信装置１０と、サーバー装置３と、表示装置２との間でＩＤデータの整合性により表示の可否を制御することで、送信装置１０を身に付けた人だけが情報を参照することが可能となり、情報のセキュリティを確保することが出来る。
【００５９】
なお、本実施の形態１においては、表示手段として電気泳動方式を用いて説明したが、本発明はこれに限定されるものではなく、電解析出方式や液晶表示方式でも良い。また、モノクロの表示手段を用いて説明したが、カラー化した表示手段でも良い。
【００６０】
また、本実施の形態１では、サーバー装置３は、記憶メディア３３に表示データを記憶させている構成としたが、記憶メディア３３の代わりに外部から表示データを受信する受信機能を備えさせ、外部から受信した表示データを表示装置２に送信するような、表示データを中継して送信させる構成にしてもよい。この場合、外部から受信する方法は、無線、有線を問わず、どのような方法で受信するようにしてもよい。
【００６１】
また、記憶メディア等の表示データを記憶する手段を表示装置２に備えさせ、サーバー装置３の無い構成にしてもよい。この場合にも、送信装置１から受信する電波の強度に応じて、参照者が参照しているのとは反対側の面の表示手段を書き換えさせることができる。したがって、参照者１に書き換え途中の画面を見せたままで書き換えの完了を待たせることがない、という同様の効果を得ることができる。
【００６２】
また、本実施の形態１では、送信装置１０から送信される電磁波の受信強度により表示装置２の参照者１側の面を認識させることとしたが、表示装置２の参照者１側の面を認識させることができれば、その他の方法であってもよい。例えば、送信装置１０から電磁波ではなく赤外線を発光させるようにし、表示装置２の両面に赤外線の受光素子を備えさせる構成にして、表示装置２の参照者１側の面を認識させるようにしてもよい。
【００６３】
また、電子ペーパー、電子ブック、携帯情報端末等に本発明の表示装置を備えさせることにより、表示更新時に使用者を待たせることのない電子ペーパー、電子ブック、携帯情報端末等を実現することができる。
【００６４】
なお、本発明のプログラムは、上述した本発明の表示装置の表示制御手段の機能をコンピュータにより実行させるためのプログラムであって、コンピュータと協働して動作するプログラムである。
【００６５】
また、本発明の記録媒体は、上述した本発明の表示装置の表示制御手段の機能をコンピュータにより実行させるためのプログラムを担持した記録媒体であり、コンピュータにより読み取り可能かつ、読み取られた前記プログラムが前記コンピュータと協働して利用される記録媒体である。
【００６６】
また、本発明のプログラムの一利用形態は、コンピュータにより読み取り可能な記録媒体に記録され、コンピュータと協働して動作する態様であっても良い。
【００６７】
また、記録媒体としては、ＲＯＭ等が含まれ、伝送媒体としては、インターネット等の伝送媒体、光・電波・音波等が含まれる。
【００６８】
また、上述した本発明のコンピュータは、ＣＰＵ等の純然たるハードウェアに限らず、ファームウェアや、ＯＳ、更に周辺機器を含むものであっても良い。
【００６９】
なお、以上説明した様に、本発明の構成は、ソフトウェア的に実現しても良いし、ハードウェア的に実現しても良い。
【産業上の利用可能性】
【００７０】
本発明にかかる表示装置は、電子ペーパー、電子ブック、携帯情報端末として有用であり、特に電源を切っても表示状態が保持されたまま参照することを可能とする用途に適している。
【図面の簡単な説明】
【００７１】
【図１】本発明の実施の形態１における表示システムの使用形態を示す図
【図２】本発明の実施の形態１の表示装置２の外観を示す概略図
【図３】本発明の実施の形態１の送信装置１０のブロック図
【図４】本発明の実施の形態１のサーバー装置３のブロック図
【図５】本発明の実施の形態１の表示装置２のブロック図
【図６】本発明の実施の形態１の表裏両面から参照可能な表示装置２の一例の断面を示す概念図
【図７】従来の電気泳動方式を用いた表示装置の概念的な要部構成断面図
【符号の説明】
【００７２】
１  参照者
２  表示装置
３  サーバー装置
４ａ  第１のアンテナ
４ｂ  第２のアンテナ
５ａ  第１の表示制御手段
５ｂ  第２の表示制御手段
６ａ  第１の表示手段
６ｂ  第２の表示手段
７  制御手段
１０  送信装置
【図１】
2005338390.tif 000003
【図２】
2005338390.tif 000004
【図３】
2005338390.tif 000005
【図４】
2005338390.tif 000006
【図５】
2005338390.tif 000007
【図６】
2005338390.tif 000008
【図７】
2005338390.tif 000009